(57)【要約】【課題】広い範囲においてコンセントボックスを使用できるコンセント装置ユニットを提供する。【解決手段】アーム状取付金具３からなる取付金具の差込部３９ａを被差込凹部３１からなる金具固定部に差し込む。外側壁部３７及びアーム状取付金具３の差込部３９ａの貫通孔３７ｂ，３９ｂを貫通して、内側壁部３５の螺子孔３５ａに螺合される螺子４３により、アーム状取付金具３をコンセントボックス１の被差込凹部３１に脱着可能に固定する。アーム状取付金具３を学習机Ｄ１の棚Ｄ２に固定して、コンセントボックス１を学習机Ｄ１の棚Ｄ２に取り付ける。金具固定部３１…は、複数種類の取付金具の各取付金具を使用に応じて取り替えられるように構成する。【選択図】  図２
2004154429.tif 000002
【特許請求の範囲】
【請求項１】
コンセントボックスと、
前記コンセントボックスを被取付具に取り付ける複数種類の取付金具とを具備し、
前記コンセントボックスの金具固定部及び前記複数種類の取付金具のそれぞれの取付部は、前記複数の取付金具から選択された任意の取付金具が前記コンセントボックスに取付可能に構成されているコンセント装置ユニット。
【請求項２】
前記複数種類の取付金具には、前記コンセントボックスを学習机上に配置される棚に螺子を用いて取り付けられるアーム状の取付金具と、前記コンセントボックスを前記学習机の天板の縁部に取り付けるクランプを備えた取付金具とが含まれている請求項１に記載のコンセント装置ユニット。
【請求項３】
前記コンセントボックスは、合成樹脂製のケースを有しており、
前記金具固定部は、前記ケースの表面に開口する細長い開口部を有する被差込凹部を有しており、
前記被差込凹部を挟む位置にある前記ケースの外側壁部及び内側壁部のうち、前記内側壁部には、前記被差込凹部内に開口する１以上の螺子孔が形成されており、また、前記外側壁部の前記螺子孔に対応する位置には、１以上の貫通孔が形成されており、
前記複数種類の取付金具の前記取付部は、前記被差込凹部に差込まれる板状の差込部からそれぞれ構成されており、
前記差込部の前記螺子孔に対応する位置には、１以上の貫通孔が形成されており、
前記外側壁部及び前記差込部のそれぞれの前記貫通孔を貫通して、前記内側壁部の前記螺子孔に螺合される螺子により、前記各取付金具が前記コンセントボックスの前記金具固定部にそれぞれ脱着可能に固定される請求項１に記載のコンセント装置ユニット。
【請求項４】
前記外側壁部には、前記螺子の頭部が前記外側壁部から突出しないように前記頭部を収納する凹部が形成されている請求項３に記載のコンセント装置ユニット。
【請求項５】
前記コンセントボックスの前記ケースには、前記学習机に取り付けられた電気機器のスイッチ及び復帰スイッチ付きブレーカの少なくとも１つが更に取り付けられている請求項２に記載のコンセント装置ユニット。
【発明の詳細な説明】
【０００１】
【発明の属する技術分野】
本発明は、学習机等の被取付具に取り付けられるコンセント装置に組立可能なコンセント装置ユニットに関するものである。
【０００２】
【従来の技術】
特許文献１には、コンセント体、照明スイッチ及び復帰スイッチ付きブレーカを備えたコンセントボックスと、机の天板の厚み方向に締め付けられて該コンセントボックスを学習机の天板の縁部に取り付けるクランプとを具備するコンセント装置が示されている。
【０００３】
【特許文献１】
特開平１１−６７３７３号公報（第７頁、第３図）
【０００４】
【発明が解決しようとする課題】
しかしながら、このようなコンセント装置では、学習机の天板の縁部上にしかコンセントボックスを配置することができず、コンセントボックスの使用範囲が限られていた。
【０００５】
本発明の目的は、広い範囲においてコンセントボックスを使用できるコンセント装置ユニットを提供することにある。
【０００６】
【課題を解決するための手段】
本発明のコンセント装置ユニットは、コンセントボックスと、該コンセントボックスを被取付具に取り付ける複数種類の取付金具とを具備している。そして、コンセントボックスの金具固定部及び複数種類の取付金具のそれぞれの取付部は、複数の取付金具から選択された任意の取付金具がコンセントボックスに取付可能になるように構成する。
【０００７】
本発明のコンセント装置ユニットは、コンセントボックスの所望の位置に取付可能な取付金具を複数種類の取付金具から選択し、選択した取付金具の取付部をコンセントボックスの金具固定部に固定してコンセント装置を組立てる組立型ユニットである。そのため、本発明のコンセント装置ユニットによれば、取付金具の交換という簡単な作業でコンセント装置を組み立てることにより、被取付具の所望の位置にコンセントボックスを配置することができ、広い範囲においてコンセントボックスを使用することができる。
【０００８】
コンセントボックスを棚付き学習机に取り付ける場合には、複数種類の取付金具は、コンセントボックスを学習机上に配置される棚に螺子を用いて取り付けられるアーム状の取付金具と、コンセントボックスを学習机の天板の縁部に取り付けるクランプを備えた取付金具とを含ませることができる。このようにすれば、学習机の棚及び天板上の広い範囲でコンセントボックスを使用することができる。
【０００９】
コンセントボックスは、合成樹脂製のケースを有するように構成することができる。この場合、金具固定部は、ケースの表面に開口する細長い開口部を有する被差込凹部を有するように構成することができる。そして、被差込凹部を挟む位置にあるケースの外側壁部及び内側壁部のうち、内側壁部には、被差込凹部内に開口する１以上の螺子孔を形成し、また、外側壁部の螺子孔に対応する位置には、１以上の貫通孔を形成することができる。複数種類の取付金具の取付部は、被差込凹部に差込まれる板状の差込部からそれぞれ構成することができ、差込部の螺子孔に対応する位置には、１以上の貫通孔を形成することができる。このようにすれば、外側壁部及び差込部のそれぞれの貫通孔を貫通して、内側壁部の螺子孔に螺合される螺子により、各取付金具をコンセントボックスの金具固定部にそれぞれ脱着可能に固定することができる。そのため、コンセントボックスのケースを利用して、金具固定部を形成することができ、別部材の金具固定部をコンセントボックスに取り付ける必要がない。
【００１０】
外側壁部には、螺子の頭部が外側壁部から突出しないように頭部を収納する凹部を形成するのが好ましい。このようにすれば、螺子の頭部がケースの外面から突出しないため、ケースの底部から螺子を螺合させるような場合でも、ケースを学習机の天板等の平らな面上に密着させることができる。
【００１１】
コンセントボックスのケースには、学習机に取り付けられた電気機器のスイッチ及び復帰スイッチ付きブレーカ等の種々の電気部品を配置することができる。このようにすれば、各種の電気部品を広い範囲で使用することが可能になる。
【００１２】
【発明の実施の形態】
以下、図面を参照して本発明の実施の形態を詳細に説明する。図１〜図３は、本発明の実施の形態のコンセント装置ユニットを用いて組立てたコンセント装置の正面図、右側面図及び平面図である。本実施の形態のコンセント装置ユニットは、コンセントボックス１と複数種類の取付金具とを有している。本例では、学習机の棚に取付可能なアーム状取付金具３を複数種類の取付金具から選択して、コンセントボックス１に固定してコンセント装置を組立てている。コンセントボックス１は、ケース５にコンセント体２１等の複数の電気部品が取り付けられて構成されている。ケース５は、合成樹脂からなる直方体に近い輪郭形状を有しており、上方側壁９，下方側壁１１，前方側壁１３，後方側壁１５，右側壁１７，左側壁１９の６つの側壁を有している。前方側壁１３には、２つのコンセント体２１，２１、ブレーカ２３及び照明機器用スイッチ２５が設けられている。２つのコンセント体２１，２１は、各プラグ挿入口２１ａ…の周囲のプレート２１ｂを共用した状態で前方側壁１３に取り付けられている。ブレーカ２３は、学習机において使用される電気回線に漏電が生じたり、コンセント体２１，２１での電力消費量が一定値を超えた場合に電流を遮断する役割を果たしており、前方側壁１３から突出する復帰スイッチ２３ａを有している。このブレーカ２３は、電流が遮断された際に、前方から復帰スイッチ２３ａを指で押すだけで電流の復帰を図ることができる構造を有している。照明機器用スイッチ２５は、学習机上に配置される電気スタンドまたは学習机上の棚に取り付けられる照明のオンオフを行えるように構成されている。本例では、図２に示すように、右側壁１７にも１個のコンセント体２７が取り付けられている。ケース５内には、各電気部品（コンセント体２１等）に接続された配線が配置されており、これらの配線はケース５から導出される導電線２９を介して所定の部材に電気的に接続されている。
【００１３】
下方側壁１１には、後述するアーム状取付金具３の差込部３９ａが差し込まれる金具固定部の一部を構成する被差込凹部３１が形成されている。被差込凹部３１は、後方側壁１５側に開口する細長い開口部３３を有しており、内部空間が薄板状の外面に沿った形状を有している。これにより、下方側壁１１には、被差込凹部３１の幅方向両側に位置して被差込凹部３１を挟む内側壁部３５及び外側壁部３７が形成されることになる。内側壁部３５には、被差込凹部３１内に開口する４つの螺子孔３５ａ…が形成されている。外側壁部３７の螺子孔３５ａ…に対応する位置には、４つの貫通孔３７ｂ…がそれぞれ形成されている。本例では、貫通孔３７ｂ…が、後述する螺子４３の頭部４３ａを収納する凹部３７ｃ…を構成している。
【００１４】
取付金具を構成するアーム状取付金具３は、金属板がＬ字形に折り曲げられて形成されており、第１の板部３９と、該第１の板部３９に対して９０°の角度で曲げられた第２の板部４１とを有している。第１の板部３９は、矩形の形状を有しており、第２の板部４１から離れた端部に取付部を構成する差込部３９ａを有している。差込部３９ａは、ケース５の被差込凹部３１に差込み可能な形状を有しており、被差込凹部３１に差し込まれた状態でケース５の螺子孔３５ａ…に対応する位置には、４つの貫通孔３９ｂ…がそれぞれ形成されている。本例では、ケース５の外側壁部３７の貫通孔３７ｂ…及びアーム状取付金具３の差込部３９ａの貫通孔３９ｂ…を貫通して、ケース５の内側壁部３５の螺子孔３５ａ…に螺合される螺子４３…により、アーム状取付金具３はコンセントボックス１に脱着可能に固定されている。そして、このように固定された状態で螺子４３の頭部４３ａは、外側壁部３７から突出しないように外側壁部３７の凹部３７ｃ内に収納されている。本例では、被差込凹部３１，内側壁部３５及び外側壁部３７により金具固定部が構成されている。
【００１５】
第２の板部４１は矩形の形状を有しており、その長手方向には、２つの螺子孔４１ａ，４１ａが並んで形成されている。アーム状取付金具３は、図２に示すように、学習机Ｄ１の棚Ｄ２に形成された２つの貫通孔Ｄ３，Ｄ３を貫通して螺子孔４１ａ，４１ａに螺合する螺子４５，４５により学習机Ｄ１の棚Ｄ２に取り付けられている。これにより、コンセントボックス１は、アーム状取付金具３を介して学習机Ｄ１の棚Ｄ２に取り付けられている。本例では、学習机Ｄ１は、図２に示すように、天板Ｄ４と棚Ｄ２とを有しており、棚Ｄ２は裏板部Ｄ５と該裏板部Ｄ５に固定された棚板部Ｄ６とを有している。そして、貫通孔Ｄ３，Ｄ３は、裏板部Ｄ５の天板Ｄ４と棚板部Ｄ６との間に位置する部分に形成されている。しかしながら、貫通孔Ｄ３，Ｄ３は、コンセントボックス１の使用場所に応じて、所望の位置に形成すればよく、その形成位置及び個数は任意である。
【００１６】
図４及び図５は、本発明の実施の形態のコンセント装置ユニットを用いて学習机の天板にコンセントボックスを取り付けた例のコンセント装置の正面図、右側面図である。本例のコンセント装置は、図１〜図３に示すコンセント装置の金具固定部３１…からアーム状取付金具３を取り外して、適宜に選択した取付金具（クランプ型取付金具４７）の取付部を金具固定部（被差込凹部３１…）に取り付けることにより構成することができる。図４及び図５に示すように、本例において取付金具を構成するクランプ型取付金具４７は、クランプ本体４９と締付部５１とを有している。クランプ本体４９は、金属板がコの字形に折り曲げられて形成されており、第１の板部５３と、第１の板部５３と平行に延びる第２の板部５５と、第１の板部５３と第２の板部５５とを連結する第３の板部５７とを有している。第１の板部５３は矩形の形状を有しており、第３の板部５７から離れた端部に取付部を構成する差込部５３ａを有している。差込部５３ａは、ケース５の被差込凹部３１に差込み可能な形状を有しており、ケース５の螺子孔３５ａ…に対応する位置には、４つの貫通孔５３ｂ…がそれぞれ形成されている。そして、図１〜図３に示すアーム状取付金具３を用いる場合と同様にして、螺子４３…によりクランプ型取付金具４７はコンセントボックス１に脱着可能に固定されている。このようにコンセントボックス１の金具固定部（被差込凹部３１…）と、アーム状取付金具３及びクランプ型取付金具４７の各差込部３９ａ，５３ａとは、選択された任意の取付金具（アーム状取付金具３，クランプ型取付金具４７）がコンセントボックス１に取付可能になるように構成されている。
【００１７】
締付部５１は、柱状部５９とハンドル部６１と皿状部６３とを有している。柱状部５９は、ほぼ円柱の細長い形状を有しており、上方側の大部分の外周部に螺子６５が形成されており、下方の端部に径方向に貫通する貫通孔６７が形成されている。螺子６５は、クランプ本体４９の第２の板部５５に形成された螺子孔５５ａに螺合されている。ハンドル部６１は、細長い棒状を呈しており、貫通孔６７に摺動可能に嵌合されている。また、ハンドル部６１の両端部には、ハンドル部６１が貫通孔６７から抜け落ちるのを防止する一対の突起６１ａ，６１ａが形成されている。皿状部６３は、柱状部５９の端部に固定された皿本体６９と、皿本体６９の開口部周縁に一体に設けられた環状部７１とを有している。皿状部６３は、環状部７１がケース５の外側壁部３７と対向するように配置されている。本例では、まず、学習机Ｄ１の天板Ｄ４の縁部を外側壁部３７と環状部７１とで挟むように、コンセントボックス１に固定されたクランプ型取付金具４７を配置する。そして、ハンドル部６１を回して、環状部７１を外側壁部３７側に移動して、天板Ｄ４の厚み方向に締め付けて、コンセントボックス１を学習机Ｄ１の天板Ｄ４の縁部に取り付けている。本例によれば、アーム状取付金具３とクランプ型取付金具４７とを適宜に交換するだけて学習机Ｄ１の所望の位置にコンセントボックス１を配置することができる。そのため、広い範囲においてコンセントボックス１を使用することができる。
【００１８】
【発明の効果】
本発明によれば、取付金具の交換という簡単な作業でコンセント装置を組み立てることにより、被取付具の所望の位置にコンセントボックスを配置することができ、広い範囲においてコンセントボックスを使用することができる。
【図面の簡単な説明】
【図１】本発明の実施の形態のコンセント装置ユニットを用いて学習机の棚にコンセントボックス取り付けた例のコンセント装置の正面図である。
【図２】図１に示すコンセント装置の右側面図である。
【図３】図１に示すコンセント装置の平面図である。
【図４】本発明の実施の形態のコンセント装置ユニットを用いて学習机の天板にコンセントボックスを取り付けた例のコンセント装置の正面図である。
【図５】図４に示すコンセント装置の右側面図である。
【符号の説明】
１  コンセントボックス
３  アーム状取付金具
５  ケース
２１，２７  コンセント体
２３  ブレーカ
２５  照明機器用スイッチ
３１  被差込凹部（金具固定部）
３３  開口部
３５  内側壁部
３７  外側壁部
３５ａ  螺子孔
３７ｃ  凹部
４７  クランプ型取付金具
４９  クランプ本体
５１  締付部
Ｄ１  学習机
Ｄ２  棚
Ｄ４  天板
【図１】
2004154429.tif 000003
【図２】
2004154429.tif 000004
【図３】
2004154429.tif 000005
【図４】
2004154429.tif 000006
【図５】
2004154429.tif 000007